(57)【特許請求の範囲】
【請求項１】
ケーシングの内部に飲料回路を含む飲料冷却機構が備えられ、該冷却機構の上部に飲料回路の洗浄機構が設けられた飲料ディスペンサーにおいて、前記冷却機構の上方に水受け可能な取付板を設け、この取付板上に前記洗浄機構が配置され、前記取付板の一部を上方へ回動可能に構成したことを特徴とする飲料ディスペンサー。
【請求項２】
前記取付板の下面を支持する支持部材におけるディスペンサーの内部側の面に、電気部品を装着した請求項１に記載の飲料ディスペンサー。
【発明の詳細な説明】
【０００１】
【発明の属する技術分野】
本発明は、生ビールなどの飲料を冷却して供給するディスペンサーであって、飲料回路の洗浄機構を備えるものに関する。
【０００２】
【従来の技術】
ビール等の飲料ディスペンサーとして、従来、図６に示すようなものがある。図示するディスペンサーｄは、外側に飲料の吐出部１を備えたケーシングＣの内部に、飲料回路（図示せず）を収納する冷却タンク２と、冷却タンク２内に貯留した水等を冷却するため冷媒を循環させる冷却装置４とが設けられ、冷却装置４で冷却タンク２内に貯留した水を冷却又は凍結させることにより、冷却タンク２の飲料回路内を流通する飲料を冷やして吐出させるようにしたものである。
【０００３】
図示する前記ディスペンサーｄには、飲料回路を洗浄するための洗浄機構が備えられている。洗浄機構は、洗浄水を貯える洗浄水タンク６と、洗浄水を飲料回路へ送り込む洗浄水ポンプ７とから成り、これらは、前述した冷却タンク２や冷却装置４などからなる冷却機構の上方に配設されている。また、冷却機構や洗浄機構、あるいは冷却タンク２の撹拌用モーター３の動作などを制御するためのタイマーやリレー等各種電気部品５は、例えば、洗浄水ポンプ７を設置するための固定部材２０の下側の適当な空間内に配置されている。
【０００４】
【発明が解決しようとする課題】
従来の飲料ディスペンサーｄでは、ケーシングＣ内の上部に配置されている洗浄水タンク６や洗浄水ポンプ７から漏水が生じたときに、下部に配置されている電気部品に水がかかり、何らかの障害を引き起こす可能性があった。
【０００５】
【課題を解決するための手段】
本発明は、ケーシング上部の洗浄機構で漏水事故が発生しても、下部の電気部品に容易には水がかからないようにできる飲料ディスペンサーを提供するものであって、その特徴とするところは、ケーシングの内部に飲料回路を含む飲料冷却機構が備えられ、該冷却機構の上部に飲料回路の洗浄機構が設けられた飲料ディスペンサーにおいて、前記冷却機構の上方に水受け可能な取付板を設け、この取付板上に前記洗浄機構が配置され、前記取付板の一部を上方へ回動可能に構成したことにある。かかる構成により本発明に係る飲料ディスペンサーは、洗浄機構において漏水が発生したときに、その水を取付板で受けることができるから、電気部品に水がかかるのを防止することができる。
また、前記取付板の一部を上方へ回動可能に構成したので、取付板の下部に在る例えば冷却タンク等の点検や保守作業を、容易に行うことが可能となる。
【０００６】
前記の如く、洗浄機構が配設される取付板を設ける場合、電気部品は、当該取付板の下面を支持する支持部材における、ディスペンサーの内部側の面に装着することが望ましい。これにより一層、電気部品を水と接触させ難くすることができる。
【０００８】
【発明の実施の形態】
図１乃至図３に本発明が適用される飲料ディスペンサーＤの一例を示す。図示する飲料ディスペンサーＤの基本構造は、図６に示した従来の飲料ディスペンサーｄと共通している。すなわち、外側に飲料の吐出部１を備えたケーシングＣの内部に、飲料回路（図示せず）を収納する冷却タンク２と、冷却タンク２との間で冷媒を循環させる冷却装置４とが設けられ、これらより成る冷却機構Ｒの上方に、洗浄水を貯える洗浄水タンク６と、洗浄水を飲料回路へ送り込む洗浄水ポンプ７とを備える洗浄機構Ｗが設けられている。洗浄水タンク６には開口２１を有するカバー２０が装着され、ケーシングＣの天板２２に嵌着したキャップ２３を取り外せば、洗浄水タンク６内へ洗浄水を容易に補給できるようなされている。
【０００９】
本発明に係る飲料ディスペンサーＤは、前述した冷却タンク２や冷却装置４などからなる冷却機構Ｒの上方に取付板１０を設け、この取付板１０上に、洗浄水タンク６及び洗浄水ポンプ７等よりなる洗浄機構Ｗを配置した構成に特色を有している。取付板１０は、ステンレス鋼のような耐水性を持つ材質で製作され、周囲にフランジ部１０ａを形成するなどの構造により、一定量の水を貯留できるようなされている。また図示は省略したが、取付板１０に排水口を設け、漏水により取付板１０に溜まった水を、外部へ排出できるようにしてもよい。
【００１０】
前記取付板１０の下面は、ケーシングＣに取り付けたステーＳやアングル材等の支持部材１１によって支持される。本例では、冷却装置４の上面部に取着した支持部材１１における、ディスペンサーＤの内部側に面する部分に、タイマーやリレー等各種電気部品５Ａを装着する構成を採用した。あるいは、支持部材１１よりもディスペンサーＤの内部側の空間に、その他の電気部品５Ｂを配設する。かかる構成により、電気部品５Ａ，５Ｂが支持部材１１より内側に保護されるので、万一、洗浄機構に漏水事故が起こっても、これら電気部品５Ａ，５Ｂが水と接触するのを防止できる、という利点が得られる。また、取付板１０の支持部材１１を、電気部品５Ａの装着部材に兼用できるから、部材点数を減らせる、という利点も得られる
【００１１】
ところで図１〜図３に示す如く、冷却機構Ｒの上方に、洗浄機構Ｗを支持する取付板１０を設けた場合、冷却機構Ｒの保守・点検をするのに、取付板１０の取り外しが必要となる。そこで本発明では、取付板１０を取り除くことなく、下部の冷却機構Ｒの保守・点検を可能とするため、取付板１０の一部を上方へ回動可能に構成した。取付板１０の一部を回動可能とするには、例えば、図４及び図５に示すように取付板１０を複数個に分割し、各分割部分をヒンジ１２で回動可能に連結する構成が考えられる。
【００１２】
かかる構成により、通常時は、取付板１０を図４の展開状態で使用して、その上に設置した洗浄機構Ｗからの漏水に備える。そして、冷却機構Ｒのメンテナンス時には、図５に示すように、取付板１０をヒンジ１２位置で上方へ回動させて折り畳めばよい。なお本例では、取付板１０を回動させることにより、冷却タンク２の上方が開放されるよう設定してある。冷却タンク２側を開放すると、撹拌用モーター３のメンテナンスが容易になるだけでなく、冷却タンク２内への冷却水の補給、及び、冷却タンク２内における蓄氷状態の確認を簡単に行えるという利点がえられる。
【００１３】
【発明の効果】
以上述べたように、本発明によれば、洗浄機構を備える飲料ディスペンサーにおいて、洗浄機構が漏水を起こしたとしても、取付板で水を受け止めることができる。依って、電気部品が水と接触して、電気的障害が発生するのを防止することができる。洗浄機構の取付板下面を支持する支持部材に、電気部品を装着した場合は、電気部品の保護がより確実になると共に、部品点数の削減を図れる。さらに、取付板の一部を上方へ回動可能に構成したので、下部に配置された冷却機構等の保守・点検が容易になる。従って、メンテナンス性を犠牲にすることなく取付板上に洗浄機構を配置する構成を採用し得るから、コンパクトな機械設計が可能となる。
【図面の簡単な説明】
【図１】  本発明が適用される飲料ディスペンサーの一例を示すものであって、内部の機器を上方に引き出した状態を正面側から見た分解斜視図である。
【図２】  本発明が適用される飲料ディスペンサーの一例を示すものであって、背板を取り外して内部の機器を取り出した状態を示す裏面側から見た分解斜視図である。
【図３】  本発明が適用される飲料ディスペンサーの一例を示すものであって、内部構造を示す概略的な側面断面図である。
【図４】  本発明に係る飲料ディスペンサーの一実施形態に関するものであって、取付板を展開した状態を示す要部の斜視図である。
【図５】  本発明に係る飲料ディスペンサーの一実施形態に関するものであって、取付板を折り畳んだ状態を示す要部の斜視図である。
【図６】  従来の飲料ディスペンサーの内部構造を概略的に示す側面断面図である。
【符号の説明】
１…吐出部  ２…冷却タンク  ３…撹拌用モーター  ４…冷却装置  ５Ａ，５Ｂ…電気部品  ６…洗浄水タンク  ７…洗浄水ポンプ    １０…取付板  １０ａ…フランジ部  １１…支持部材  Ｃ…ケーシング  Ｄ…飲料ディスペンサー  Ｒ…冷却機構  Ｗ…洗浄機構
【図１】
0004493874.tif 000002
【図２】
0004493874.tif 000003
【図３】
0004493874.tif 000004
【図４】
0004493874.tif 000005
【図５】
0004493874.tif 000006
【図６】
0004493874.tif 000007